(57)【要約】【課題】水受け部内の残水を抑制して水撥ねや飛び散りを抑制し、手洗い器から水受け部に排出された洗浄水を内装タンク内にスムーズに供給することができる手洗い器付き洗浄水タンク装置を提供する。【解決手段】本発明の手洗い器付き洗浄水タンク装置１は、外装タンク８と、内装タンク１６と、スパウト１０ｂと、手洗いボウル１０ａ及び手洗い排水口１０ｃを備えた手洗い器と、手洗い排水口から排出された洗浄水を受けて流出口３６,３８から内装タンク内に流出させる水受け部３０と、を有し、水受け部は、手洗い排水口から排出された洗浄水が落下した領域において洗浄水との接触抵抗を低減させるように上方に突出する突出面４０ａ,４０ｂを形成する突出部４０と、この突出部に隣接して設けられて流出口に向かって下り傾斜する傾斜面４２を形成する傾斜部４２ａ,４２ｂと、を備え、突出面はその頂部から上記傾斜面に向かって下り傾斜するように形成されている。【選択図】図４
2020128653.tif 000002
【特許請求の範囲】
【請求項１】
洗浄水を便器に供給する手洗い器付き洗浄水タンク装置であって、
外装タンクと、
この外装タンクの内部に設けられて便器洗浄用の洗浄水が貯水される内装タンクと、
手洗い用の洗浄水を吐水する手洗い吐水部と、
この外装タンクの上部に設けられた手洗い器であって、上記手洗い吐水部から吐水された洗浄水を受ける手洗いボウル部と、この手洗いボウル部内の洗浄水を排出させる手洗い排水口と、を備えた上記手洗い器と、
上記内装タンクの上部と上記手洗い器の下部との間に設けられ、上記手洗い排水口から排出された洗浄水を受ける水受け部であって、この水受け部内の洗浄水を上記内装タンク内に流出させる流出口を備えた上記水受け部と、を有し、
上記水受け部は、上記手洗い排水口と対向する水受け面を備え、この水受け面は、上記手洗い排水口から排出された洗浄水が落下した領域において洗浄水との接触抵抗を低減させるように上方に突出する突出面を形成する突出部と、この突出部に隣接して設けられて上記流出口に向かって下り傾斜する傾斜面を形成する傾斜部と、を備え、
上記突出面は、その頂部から上記傾斜面に向かって下り傾斜するように形成されていることを特徴とする手洗い器付き洗浄水タンク装置。
【請求項２】
上記流出口は、上記水受け部の少なくとも二箇所に設けられており、上記突出部の突出面は、上記頂部に着水した洗浄水を上記少なくとも二箇所の流出口のそれぞれに向かって分流させるように形成されている請求項１記載の手洗い器付き洗浄水タンク装置。
【請求項３】
さらに、上記水受け部の流出口の下流側に設けられて上記流出口から流出した洗浄水を上記内装タンク内に排出する排水部を有し、この排水部は、少なくとも下方が開放された排水路を形成している請求項１又は２に記載の手洗い器付き洗浄水タンク装置。
【請求項４】
上記水受け部は、さらに、上記水受け面の周囲を取り囲むように上記水受け面から上方に延びる立壁部を備え、この立壁部は、互いに隣接する第１立壁部及び第２立壁部を備え、上記流出口は、上記第１立壁部と上記第２立壁部とが互いに接続される上記水受け部の角部に形成されている請求項１乃至３の何れか１項に記載の手洗い器付き洗浄水タンク装置。
【請求項５】
上記水受け部は、さらに、上記突出部の突出面と上記傾斜部の傾斜面とが連結される連結部を備え、この連結部は、洗浄水を上記流出口に向けてガイドするように形成されている請求項１乃至４の何れか１項に記載の手洗い器付き洗浄水タンク装置。
【請求項６】
上記排水部は、上記水受け部の流出口に接続される上端部から下方に延びて上記排水路の側壁面を形成する側壁部を備え、この側壁部は、上記排水路内の洗浄水の周囲への飛び出しを規制するように構成されている請求項３記載の手洗い器付き洗浄水タンク装置。
【請求項７】
上記排水部の排水路の下端出口全域は、上記内装タンク内のオーバーフロー口に対して上下方向に重ならないように、上記オーバーフロー口の外縁よりも外側に位置している請求項６記載の手洗い器付き洗浄水タンク装置。
【請求項８】
上記排水部の側壁部は、上記排水路内の洗浄水を上記内装タンク内のオーバーフロー口よりも外側の領域に導くガイド部を備えており、このガイド部の長手方向の外縁部は、上記流出口の底部に接続される上端部から上記排水路の排出口の下端部に向かって斜め下方に延びるように形成されており、上記ガイド部の下端部は、上記オーバーフロー口よりも外側に位置している請求項６又は７に記載の手洗い器付き洗浄水タンク装置。
【請求項９】
上記排水部の側壁部は、互いに隣接する第１側壁部及び第２側壁部と、上記第１側壁部及び上記第２側壁部とが互いに接合される接合部と、を備え、この接合部は、上記水受け部の流出口と対角側の壁面が曲面形状に形成されている請求項６乃至８の何れか１項に記載の手洗い器付き洗浄水タンク装置。
【請求項１０】
上記請求項１乃至９の何れか１項に記載の手洗い器付き洗浄水タンク装置を備えた水洗大便器。
【発明の詳細な説明】
【技術分野】
【０００１】
本発明は、手洗い器付き洗浄水タンク装置及びそれを備えた水洗大便器に係り、特に、洗浄水を便器に供給する手洗い器付き洗浄水タンク装置及びそれを備えた水洗大便器に関する。
【背景技術】
【０００２】
従来から、洗浄水を便器に供給する手洗い器付き洗浄水タンク装置及びそれを備えた水洗大便器として、例えば、特許文献１に記載されているものが知られている。
このような従来の手洗い器付き洗浄水タンク装置においては、便器洗浄用の洗浄水が貯水される内装タンクを収容する外装タンクと、この外装タンクの上方に設けられた手洗い器と、この手洗い器に洗浄水を吐水する手洗い吐水部と、手洗い器の排水口の下方に設けられた水受け部と、を備えている。これらにより、手洗い器の排水口から排出された洗浄水は、水受け部内で受けられた後、内装タンク内に排出されるようになっている。
【先行技術文献】
【特許文献】
【０００３】
【特許文献１】特開２０１７−１５０２５７号公報
【発明の概要】
【発明が解決しようとする課題】
【０００４】
しかしながら、上述した特許文献１に記載されている従来の手洗い器付き洗浄水タンク装置においては、水受け部の内側壁面が、その内側から外側に向けて膨出する曲面形状に形成されているため、水受け部内の洗浄水は、内側壁面に沿って下方から上方に向かって弧を描くように流れることにより水受け部の内側へ跳ね返るようになっている。
これにより、水受け部の内側へ跳ね返った洗浄水は、手洗い器の排水口から水受け部内に順次流れ込んできた手洗い排水に対して覆い被さるように流れる。
したがって、水受け部内に残水が発生し易いため、水受け部内の残水に対して順次流れ込む手洗い排水が衝突し、水受け部の外部への水撥ねや飛び散りが発生するおそれがあるという問題がある。
よって、水受け部内の残水を抑制して洗浄水の水撥ねや飛び散りをいかに抑制し、手洗い器から排出された洗浄水について水受け部を介して内装タンク内にいかにスムーズに供給するかが要請された課題となっている。
【０００５】
そこで、本発明は、上述した従来技術の問題や要請された課題を解決するためになされたものであり、水受け部内の残水を抑制して水撥ねや飛び散りを抑制し、手洗い器から水受け部に排出された洗浄水を内装タンク内にスムーズに供給することができる手洗い器付き洗浄水タンク装置及びそれを備えた水洗大便器を提供することを目的としている。
【課題を解決するための手段】
【０００６】
上述した課題を解説するために、本発明は、洗浄水を便器に供給する手洗い器付き洗浄水タンク装置であって、外装タンクと、この外装タンクの内部に設けられて便器洗浄用の洗浄水が貯水される内装タンクと、手洗い用の洗浄水を吐水する手洗い吐水部と、この外装タンクの上部に設けられた手洗い器であって、上記手洗い吐水部から吐水された洗浄水を受ける手洗いボウル部と、この手洗いボウル部内の洗浄水を排出させる手洗い排水口と、を備えた上記手洗い器と、上記内装タンクの上部と上記手洗い器の下部との間に設けられ、上記手洗い排水口から排出された洗浄水を受ける水受け部であって、この水受け部内の洗浄水を上記内装タンク内に流出させる流出口を備えた上記水受け部と、を有し、上記水受け部は、上記手洗い排水口と対向する水受け面を備え、この水受け面は、上記手洗い排水口から排出された洗浄水が落下した領域において洗浄水との接触抵抗を低減させるように上方に突出する突出面を形成する突出部と、この突出部に隣接して設けられて上記流出口に向かって下り傾斜する傾斜面を形成する傾斜部と、を備え、上記突出面は、その頂部から上記傾斜面に向かって下り傾斜するように形成されていることを特徴としている。
このように構成された本発明においては、手洗い用の洗浄水が手洗い吐水部から手洗い器の手洗いボウル部に吐水されると、手洗いボウル部内の洗浄水が手洗い排水口から水受け部内の水受け面に向けて手洗い排水として排出される。
そして、このような手洗い排水が、水受け部内の上方に突出した突出部の頂部又は突出面に落下して着水する。
このとき、突出部は、その頂部又は突出面に落下して着水した領域の洗浄水について接触抵抗を低減させるように、頂部から下り傾斜した突出面に沿って勢い強めた状態で流下させることができる。
また、このように突出面に沿って勢い強めた状態で流下した洗浄水は、突出部に隣接する傾斜部の傾斜面を経て水勢を維持した状態で水受け部の流出口に速やかに導かれるか、或いは、突出部に隣接する傾斜部の傾斜面を経ずに水勢を維持した状態で水受け部の流出口に直接的に速やかに導かれるため、水受け部内の排水性を向上させることができる。
これらの結果、手洗い排水口から水受け部内に排出された手洗い排水について、水受け面に対する着水時の接触抵抗を確実に低減させて、水受け部内の残水の発生を抑制することができる。
したがって、次回の手洗い器の手洗い排水口から水受け部への手洗い排水時においても、前回の手洗い排水による水受け部内の残水が発生し難い状態であるため、水受け部内の残水に着水することによる水撥ねや飛び散りを抑制することができる。
これらの結果、手洗い器から排出された洗浄水を水受け部を介して内装タンク内にスムーズに供給することができる。
【０００７】
本発明において、好ましくは、上記流出口は、上記水受け部の少なくとも二箇所に設けられており、上記突出部の突出面は、上記頂部に着水した洗浄水を上記少なくとも二箇所の流出口のそれぞれに向かって分流させるように形成されている。
このように構成された本発明においては、手洗い排水口から水受け部内に排出された手洗い排水は、突出部の頂部に落下して着水した後、突出面に沿って流下し、少なくとも二箇所の流出口のそれぞれに向かって分流され、比較的流量が抑制される。
これにより、突出部の頂部に着水後の水受け部内の洗浄水について、少なくとも二箇所の流出口のそれぞれにスムーズに導くことができ、水受け部内の洗浄水同士の衝突による水撥ねや飛び散りを効果的に抑制することができる。
【０００８】
本発明において、好ましくは、さらに、上記水受け部の流出口の下流側に設けられて上記流出口から流出した洗浄水を上記内装タンク内に排出する排水部を有し、この排水部は、少なくとも下方が開放された排水路を形成している。
このように構成された本発明においては、水受け部内の洗浄水が、突出部の突出面や傾斜部の傾斜面を流下することにより水受け部の流出口から勢いを増した状態で流出し、洗浄水同士の衝突や乱れを誘発させる流れになっていたとしても、水受け部の流出口の下流側に設けられた排水部の排水路内の空間が過度な水勢を抑制する緩衝空間となる。
これにより、水受け部の流出口から流出した排水路内の洗浄水について、乱れを抑制して内装タンク内にスムーズに排出することができる。
【０００９】
本発明において、好ましくは、上記水受け部は、さらに、上記水受け面の周囲を取り囲むように上記水受け面から上方に延びる立壁部を備え、この立壁部は、互いに隣接する第１立壁部及び第２立壁部を備え、上記流出口は、上記第１立壁部と上記第２立壁部とが互いに接続される上記水受け部の角部に形成されている。
このように構成された本発明においては、水受け部内の洗浄水のうち、第１立壁部及び第２立壁部のそれぞれの壁面に沿って角部に向かって流れた洗浄水は、この角部の流出口からスムーズに排出される。
したがって、水受け部内の第１立壁部及び第２立壁部のそれぞれの壁面に沿って角部に向かって流れた洗浄水同士が流出口から排出される前に激しく衝突することを抑制することができ、水受け部から外部への水撥ねや飛び散りを抑制することができる。
【００１０】
本発明において、好ましくは、上記水受け部は、さらに、上記突出部の突出面と上記傾斜部の傾斜面とが連結される連結部を備え、この連結部は、洗浄水を上記流出口に向けてガイドするように形成されている。
このように構成された本発明においては、水受け部内の突出部の突出面と傾斜部の傾斜面とが連結される連結部が洗浄水を流出口に向けてガイドするように形成されているため、手洗い排水口から排出された手洗い排水が水受け部内の突出部の突出面に落下して着水した後に連結部に流れ込んだ洗浄水について、流出口に向けてスムーズにガイドすることができる。
また、水受け部内の突出部の突出面に落下することなく傾斜部の傾斜面や連結部に直接的に落下した洗浄水についても、流出口に向けてスムーズにガイドすることができる。
【００１１】
本発明において、好ましくは、上記排水部は、上記水受け部の流出口に接続される上端部から下方に延びて上記排水路の側壁面を形成する側壁部を備え、この側壁部は、上記排水路内の洗浄水の周囲への飛び出しを規制するように構成されている。
このように構成された本発明においては、水受け部の流出口の下流側に設けられた排水部が水受け部の流出口に接続される上端部から下方に延びる排水路を形成し、この排水路の側壁面を形成する側壁部により、排水路内の洗浄水の周囲への飛び出しを規制することができる。
したがって、排水部の排水路から内装タンク内に向けて排出された洗浄水が内装タンクの外部に飛び出すことを抑制し、手洗い器から排出された洗浄水を水受け部を介して内装タンク内にスムーズに供給することができる。
【００１２】
本発明において、好ましくは、上記排水部の排水路の下端出口全域は、上記内装タンク内のオーバーフロー口に対して上下方向に重ならないように、上記オーバーフロー口の外縁よりも外側に位置している。
このように構成された本発明においては、排水部の排水路の下端出口全域が、内装タンク内のオーバーフロー口に対して上下方向に重ならないようにオーバーフロー口の外縁よりも外側に位置しているため、排水路の下端出口から排出された洗浄水がオーバーフロー口内に直接的に流れ込むことによる無駄水の発生を抑制することできる。
したがって、排水路から排出された手洗い排水について、内装タンク内のオーバーフロー口以外の領域に確実に導くことができるため、手洗い器から排出された洗浄水を水受け部を介して内装タンク内に確実に供給することができる。
【００１３】
本発明において、好ましくは、上記排水部の側壁部は、上記排水路内の洗浄水を上記内装タンク内のオーバーフロー口よりも外側の領域に導くガイド部を備えており、このガイド部の長手方向の外縁部は、上記流出口の底部に接続される上端部から上記排水路の排出口の下端部に向かって斜め下方に延びるように形成されており、上記ガイド部の下端部は、上記オーバーフロー口よりも外側に位置している。
このように構成された本発明においては、排水部の側壁部のガイド部の長手方向の外縁部が、水受け部の流出口の底部に接続される上端部から排水路の排出口の下端部に向かって斜め下方に延びるように形成されており、ガイド部の下端部がオーバーフロー口よりも外側に位置しているため、特に、水受け部の流出口の底部から比較的低流量で流出した洗浄水について、排水部の側壁部のガイド部に沿って内装タンク内のオーバーフロー口よりも外側の領域に向けて確実に導いて、貯水することができる。
【００１４】
本発明において、好ましくは、上記排水部の側壁部は、互いに隣接する第１側壁部及び第２側壁部と、上記第１側壁部及び上記第２側壁部とが互いに接合される接合部と、を備え、この接合部は、上記水受け部の流出口と対角側の壁面が曲面形状に形成されている。
このように構成された本発明においては、排水部における互いに隣接する第１側壁部と第２側壁部とが接合される接合部について、水受け部の流出口と対角側の壁面が曲面形状に形成されているため、水受け部の流出口から流出した洗浄水は、流出口の対角側の第１側壁部と第２側壁部との接合部の曲面形状の壁面に沿って寄せ集められた後、排水路の下流側に向かってまとまりのある流れを形成することができる。
したがって、排水部の排水路内における洗浄水の乱れた流れを抑制してスムーズな流れを形成することができる。
これにより、排水部の排水路から洗浄水が内装タンク内に向けて排出される際に、外側へ水撥ねや飛び出しによる無駄水の発生を抑制し、手洗い器から排出された洗浄水を水受け部を介して内装タンク内にスムーズに供給することができる。
【００１５】
つぎに、本発明は、上記手洗い器付き洗浄水タンク装置を備えた水洗大便器。
このように構成された本発明においては、手洗い器から排出された洗浄水を水受け部を介して内装タンク内にスムーズに供給することができる洗浄水タンク装置を備えた水洗大便器を提供することができる。
【発明の効果】
【００１６】
本発明の手洗い器付き洗浄水タンク装置によれば、水受け部内の残水を抑制して水撥ねや飛び散りを抑制し、手洗い器から水受け部に排出された洗浄水を内装タンク内にスムーズに供給することができる。
【図面の簡単な説明】
【００１７】
【図１】本発明の一実施形態による手洗い器付き洗浄水タンク装置を備えた水洗大便器の概略斜視図を示す。
【図２】本発明の一実施形態による手洗い器付き洗浄水タンク装置の正面断面図である。
【図３】本発明の一実施形態による手洗い器付き洗浄水タンク装置の中央側面断面図である。
【図４】本発明の一実施形態による手洗い器付き洗浄水タンク装置における内装タンクユニット及び水受けユニットを斜め上方から見た斜視図である。
【図５】本発明の一実施形態による手洗い器付き洗浄水タンク装置における内装タンクユニット及び水受けユニットの上面図である。
【図６】図５のＶＩ−ＶＩ線に沿った断面図である。
【図７】図５のＶＩＩ−ＶＩＩ線に沿った断面図である。
【図８】図５のＶＩＩＩ−ＶＩＩＩ線に沿った断面図である。
【図９】図５のＩＸ−ＩＸ線に沿った断面図である。
【図１０】図４のＡ部拡大図である。
【図１１】図４のＸＩ−ＸＩ線に沿った断面図である。
【図１２】図１１に示す本発明の一実施形態による手洗い器付き洗浄水タンク装置における水受けユニットの左側流出口の部分を拡大した斜視図である。
【発明を実施するための形態】
【００１８】
以下、添付図面を参照して、本発明の一実施形態による手洗い器付き洗浄水タンク装置、及び、それを備えた水洗大便器について説明する。
まず、図１は、本発明の一実施形態による手洗い器付き洗浄水タンク装置を備えた水洗大便器の概略斜視図を示す。
図１に示すように、本発明の一実施形態による手洗い器付き洗浄水タンク装置１は、水洗大便器２の便器本体４の上面における便座（図示せず）及びその上面を覆う便蓋６の後方側に設けられている。
なお、水洗大便器２としては、便器本体４のボウル（図示せず）内の水の落差による流水作用で汚物を押し流す、いわゆる、洗い落し式の水洗大便器の例について説明するが、このような洗い落し式の水洗大便器に限定されず、サイホン作用を利用して便器本体４のボウル（図示せず）内の汚物を吸い込んで排水トラップ管路（図示せず）から一気に外部に排出する、いわゆる、サイホン式の水洗大便器等の他のタイプの水洗大便器にも適用可能である。
【００１９】
また、手洗い器付き洗浄水タンク装置１は、外装タンク８、及び、この外装タンク８の上部に設けられた手洗い器１０をそれぞれ備えている。
手洗い器１０は、手洗いボウル部（手洗いボウル１０ａ）と、この手洗いボウル１０ａ内に手洗い用の洗浄水を吐水する手洗い吐水部（スパウト１０ｂ）と、手洗いボウル１０ａ内の洗浄水を排出させる手洗い排水口１０ｃと、を備えている。
【００２０】
つぎに、図２は、本発明の一実施形態による手洗い器付き洗浄水タンク装置の正面断面図である。また、図３は、本発明の一実施形態による手洗い器付き洗浄水タンク装置の中央側面断面図である。
図２及び図３に示すように、洗浄水タンク装置１は、さらに、外装タンク８の内部に設けられた内装タンクユニット１２、及び、この内装タンクユニット１２の上部と手洗い器１０の下部（手洗いボウル１０ａの手洗い排水口１０ｃの下部）との間に設けられた水受けユニット１４をそれぞれ備えている。
【００２１】
つぎに、図４は、本発明の一実施形態による手洗い器付き洗浄水タンク装置における内装タンクユニット及び水受けユニットを斜め上方から見た斜視図である。また、図５は、本発明の一実施形態による手洗い器付き洗浄水タンク装置における内装タンクユニット及び水受けユニットの上面図である。
図２〜図５に示すように、内装タンクユニット１２は、便器洗浄用の洗浄水が貯水される貯水タンク１６と、この貯水タンク１６を収容する防露材１８と、貯水タンク１６の上端開口部を閉塞する上蓋２０と、をそれぞれ備えている。
図２に示すように、貯水タンク１６は、その内部に貯水された洗浄水について重力を利用して底部の排水口１６ａから排出することにより便器本体４の導水路４ａに洗浄水を供給する、いわゆる、重力給水式の貯水タンクである。
【００２２】
つぎに、図２及び図３に示すように、貯水タンク１６及び上蓋２０の内部には、給水弁装置２２及び排水弁装置２４がそれぞれ設けられている。
まず、給水弁装置２２は、洗浄水タンク装置１の外部の水道等の給水源（図示せず）から給水された洗浄水を貯水タンク１６内に給水する給水弁として機能するものである。
この給水弁装置２２は、給水路（図示せず）を開閉する給水バルブ（図示せず）や、給水動作及び止水動作のタイミングを調整するフロート（図示せず）等を備えているが、これらの詳細な構造については、従来のものと同様であるため、説明を省略する。
また、給水弁装置２２は、給水源（図示せず）から給水された洗浄水について、貯水タンク１６内に洗浄水を直接的に給水するタンク側給水管２２ａと、このタンク側給水管２２ａの途中から分岐して手洗い器１０のスパウト１０ｂの上流側に接続される手洗い側給水管２２ｂと、を備えている。
これらにより、タンク側給水管２２ａに供給された洗浄水の一部は、手洗い側給水管２２ｂを経てスパウト１０ｂに供給されるようになっている。そして、スパウト１０ｂの吐水口から手洗いボウル１０ａ内に吐水された洗浄水は、手洗い器１０における手洗いに利用され、手洗い排水口１０ｃから水受けユニット１４（詳細は後述する）に排出されるようになっている。
水受けユニット１４に排出された手洗い排水は、貯水タンク１６内に排水され、便器洗浄用の洗浄水として利用されるようになっている。
【００２３】
つぎに、図２及び図３に示すように、排水弁装置２４は、貯水タンク１６の排水口１６ａを開閉し、貯水タンク１６内の洗浄水を便器本体４の導水路４ａに排水する排水弁として機能するものである。
この排水弁装置２４は、上下方向に摺動可能なオーバーフロー管２４ａと、このオーバーフロー管２４ａの下部に設けられた排水弁体２４ｂと、を備えているが、これらの詳細な構造については、従来のものと同様であるため、説明を省略する。
さらに、図２、図４及び図５に示すように、洗浄水タンク装置１は、便器洗浄を開始する際に、排水弁装置２４を開弁操作する電動操作ユニット２６を備えている。
この電動操作ユニット２６の詳細な構造については、従来のものと同様であるため、説明を省略するが、電動操作ユニット２６の電動操作により、オーバーフロー管２４ａ及び排水弁体２４ｂが引き上げられ、開弁操作が可能となっている。
【００２４】
ちなみに、電動操作ユニット２６による電動操作においては、例えば、水洗大便器２の周辺に設置された人感センサＳ（図１参照）が感知して送信された信号に基づいて、及び／又は、使用者がリモコン又はコントローラ等の操作装置Ｃ（図１参照）の所定の操作ボタン等を操作して送信された信号に基づいて、電動操作ユニット２６のＤＣモータ（図示せず）等の駆動が制御され、排水弁装置２４を開弁操作が制御されるようになっている。
また、本実施形態では、操作装置Ｃの操作に応じて、便器洗浄開始時の排水弁装置２４の排水弁体２４ｂの最高開弁位置が調整されるようになっている。これにより、例えば、大洗浄、小洗浄、及び、エコ小洗浄の３種類の大中小の洗浄水量のうちのいずれかの洗浄水量が適宜選択され、洗浄水量が異なる便器洗浄が可能になっている。
なお、便器洗浄については、３種類の洗浄水量による便器洗浄以外にも、大洗浄のみで便器洗浄を行うものであってもよいし、大洗浄及び小洗浄の２種類の洗浄水量で便器洗浄を行うものであってもよい。
【００２５】
つぎに、図４〜図１２を参照して、水受けユニット１４の詳細について説明する。
図６〜図９のそれぞれは、図５のＶＩ−ＶＩ線、ＶＩＩ−ＶＩＩ線、ＶＩＩＩ−ＶＩＩＩ、及び、ＩＸ−ＩＸ線のそれぞれに沿った断面図である。また、図１０は、図４のＡ部拡大図である。さらに、図１１は、図４のＸＩ−ＸＩ線に沿った断面図である。
図２〜図１１に示すように、水受けユニット１４は、ベース部２８、水受けカップ部３０、及び、左右一対の排水路形成部（左側排水路形成部３２、右側排水路形成部３４）をそれぞれ備えている。
まず、水受けユニット１４のベース部２８は、貯水タンク１６の上蓋２０上に取り付けられた状態で固定されているが、貯水タンク１６の上蓋２０に対して一体的に形成されていてもよい。
つぎに、水受けユニット１４の水受けカップ部３０は、その上方が開口するようにベース部２８に設けられている。この水受けカップ部３０の構造の詳細については後述するが、水受けカップ部３０の底面は、手洗い器１０の手洗い排水口１０ｃと上下方向に対向しており、手洗い排水口１０ｃから排出された手洗い排水を受ける水受け面となっている。
【００２６】
また、図１２は、図１１に示す本発明の一実施形態による手洗い器付き洗浄水タンク装置における水受けユニットの左側流出口の部分を拡大した斜視図である。
図６〜図１２に示すように、水受けカップ部３０は、その周囲を取り囲むように底面（水受け面）から上方に延びる立壁部（前側壁部３０ａ、後側壁部３０ｂ、左側壁部３０ｃ、右側壁部３０ｄ）をそれぞれ備えている。
また、図６〜図１２に示すように、後側壁部３０ｂの左右両端とこれらに隣接する左側壁部３０ｃ及び右側壁部３０ｄのそれぞれの後端とが互いに接続される接合部（角部３０ｅ，３０ｆ）のそれぞれにおいては、左右一対の流出口（左側流出口３６、右側流出口３８）が設けられている。各流出口３６，３８は、鉛直方向に延びる長穴となっており、水受けカップ部３０内の洗浄水を流出させることができるようになっている。
さらに、水受けユニット１４の左右一対の排水路形成部３２，３４は、水受けカップ部３０の後方側の左右両端部（角部）の左右一対の流出口３６，３８のそれぞれの下流側近傍に設けられた排水部である。この排水路形成部３２，３４の構造の詳細については後述する。
【００２７】
つぎに、図４〜図１２を参照して、水受けカップ部３０の構造の詳細について説明する。
図４〜図１２に示すように、水受けカップ部３０は、突出部４０と、この突出部４０に隣接して設けられた傾斜部４２と、これらの突出部４０及び傾斜部４２を互いに連結する連結部４４と、をそれぞれ備えている。
まず、図６〜図１２に示すように、水受けカップ部３０の突出部４０は、その全体が三角錐状に形成された左右に２つの突出面（左側突出面４０ａ、右側突出面４０ｂ）をそれぞれ備えている。
つぎに、図６〜図１２に示すように、水受けカップ部３０の傾斜部４２は、水受けカップ部３０内の前方側から各流出口３６，３８に向かって下り傾斜するように形成された傾斜面（左側傾斜面４２ａ、右側傾斜面４２ｂ）をそれぞれ備えている。
また、図６〜図１２に示すように、水受けカップ部３０の突出部４０の各突出面４０ａ，４０ｂは、頂部４０ｃから傾斜部４２の各傾斜面４２ａ，４２ｂとの各連結部（左側連結部４４ａ、右側連結部４４ｂ）に向かって下り傾斜する傾斜面を形成している。
さらに、図６〜図１２に示すように、水受けカップ部３０の突出部４０の各突出面４０ａ，４０ｂは、手洗い排水口１０ｃから排出された洗浄水が落下して突出面４０ａ，４０ｂのいずれかの領域に着水した際、或いは、各突出面４０ａ，４０ｂ同士の頂部４０ｃの領域に着水した際に、水平方向に延びる平坦な底面（水受け面）に比べて、洗浄水との接触抵抗を低減させることができるようになっている。
【００２８】
つぎに、図６〜図１２に示すように、水受けカップ部３０の各連結部４４ａ，４４ｂは、洗浄水を各流出口３８，３８に向けてガイドするガイド溝を形成している。
これにより、手洗い排水口１０ｃから排出されて頂部４０ｃに着水した手洗い排水は、水受けカップ部３０の突出部４０の各突出面４０ａ，４０ｂのそれぞれに分流された後、各突出面４０ａ，４０ｂから各連結部４４ａ，４４ｂや傾斜部４２の各傾斜面４２ａを経て各流出口３６，３８のそれぞれに向かって分流されるようになっている。
或いは、手洗い排水口１０ｃから排出されて頂部４０ｃに着水した手洗い排水は、水受けカップ部３０の突出部４０の各突出面４０ａ，４０ｂのそれぞれに分流された後、各突出面４０ａ，４０ｂから各流出口３６，３８のそれぞれに向かって直接的に分流されるようになっている。
【００２９】
つぎに、図４〜図１２を参照して、水受けユニット１４の各排水路形成部３２，３４（排水部）の詳細について説明する。
まず、図４〜図１２に示すように、水受けユニット１４の各排水路形成部３２，３４は、水受けカップ部３０の各流出口３６，３８に接続される上端部にそれぞれ設けられた上側壁部３２ａ，３４ａと、この上側壁部３２ａ，３４ａから下方に延びる側壁部（前側壁部３２ｂ，３４ｂ、後側壁部３２ｃ，３４ｃ、左側壁部３２ｄ，３４ｄ、右側壁部３２ｅ，３４ｅ）と、をそれぞれ備えている。
また、各排水路形成部３２，３４においては、これらの壁部３２ａ〜３２ｅ及び壁部３４ａ〜３４ｅにより、上下方向に延びて且つ下方が開放された排水路４６，４８（図１１参照）がそれぞれ形成されている。
さらに、各排水路形成部３２，３４の側壁部３２ｂ〜３２ｅ及び側壁部３４ｂ〜３４ｅは、各排水路４６，４８内の洗浄水の周囲への飛び出しを規制することができるようになっている。
なお、各排水路形成部３２，３４については、上側壁部３２ａ，３４ａを設けずに、各排水路４６，４８の上方が開放されるような形態であってもよい。
【００３０】
つぎに、図６〜図１２に示すように、各排水路形成部３２，３４の内側の側壁部（左側排水路形成部３２の右側壁部３２ｅ、右側排水路形成部３４の左側壁部３４ｄ）のそれぞれは、各排水路４６，４８内の洗浄水を貯水タンク１６内の所定領域（オーバーフロー管２４ａの上端のオーバーフロー口２４ｃよりも外側の領域）に導くガイド部（ガイドプレート５０，５２）をそれぞれ備えている。
また、図６〜図９及び図１１に示すように、各排水路４６，４８の下端出口（排出口４６ａ，４８ａ）の全域は、貯水タンク１６内のオーバーフロー口２４ｃに対して上下方向に重ならないように、オーバーフロー口２４ｃの外縁よりも外側に位置している。
さらに、図６〜図９に示すように、各ガイドプレート５０，５２の長手方向の外縁部５０ａ，５２ａは、各流出口３６，３８の底部３６ａ，３８ａに接続される上端部５０ｂ，５２ｂから各排水路４６，４８の排出口４６ａ，４８ａの下端に位置する下端部５０ｃ，５２ｃに向かって斜め下方に延びるように形成されている。
また、各ガイドプレート５０，５２の下端部５０ｃ，５２ｃについても、貯水タンク１６内のオーバーフロー管２４ａの上端のオーバーフロー口２４ｃの外縁よりも外側に位置している。
【００３１】
つぎに、図１１及び図１２に示すように、左側排水路形成部３２の左側排水路４６において、後側壁部３２ｃの左端と左側壁部３２ｄの後端とが互いに接合される接合部の側壁面は、平面視で部分円弧状の曲面Ｒ１で形成されている。
同様に、図１１及び図１２に示すように、右側排水路形成部３４の右側排水路４８において、後側壁部３４ｃの右端と右側壁部３４ｅの後端とが互いに接合される接合部の壁面は、平面視で部分円弧状の曲面Ｒ２で形成されている。
各排水路４６，４８の側壁面の各曲面Ｒ１，Ｒ２の部分は、水受けカップ３０の各流出口３６，３８に対して対角側に位置している。
【００３２】
つぎに、図１〜図１２を参照して、上述した本発明の一実施形態による手洗い器付き洗浄水タンク装置１の作用効果について説明する。
まず、上述した本発明の一実施形態による手洗い器付き洗浄水タンク装置１によれば、手洗い用の洗浄水がスパウト１０ｂから手洗い器１０の手洗いボウル１０ａに吐水されると、手洗いボウル１０ａ内の洗浄水が手洗い排水口１０ｃから水受けユニット１４の水受けカップ部３０内の水受け面（上方に突出した突出部４０の頂部４０ｃ、突出面４０ａ，４０ｂ、傾斜部４２の傾斜面４２ａ，４２ｂの少なくともいずれかの面）に向けて手洗い排水として排出される。
そして、このような手洗い排水が、水受けカップ部３０内の突出部４０の頂部４０ｃ、突出面４０ａ，４０ｂのいずれかの面に落下して着水した場合には、突出部４０が、その頂部４０ｃ又は突出面４０ａ，４０ｂに落下して着水した領域の洗浄水について接触抵抗を低減させるように、頂部４０ｃから下り傾斜した突出面４０ａ，４０ｂに沿って勢い強めた状態で流下させることができる。
また、このように突出面４０ａ，４０ｂに沿って勢い強めた状態で流下した洗浄水は、突出部４０に隣接する傾斜部４２の傾斜面４２ａ，４２ｂを経て水勢を維持した状態で水受けカップ部３０の各流出口３６，３８に速やかに導かれるか、或いは、突出部４０に隣接する傾斜部４２の傾斜面４２ａ，４２ｂを経ずに水勢を維持した状態で各流出口３６，３８に直接的に速やかに導かれるため、水受けカップ部３０内の排水性を向上させることができる。
これらの結果、手洗い排水口１０ｃから水受けカップ部３０内に排出された手洗い排水について、水受け面（突出部４０の突出面４０ａ，４０ｂ、傾斜部４２の傾斜面４２ａ，４２ｂ）に対する着水時の接触抵抗を確実に低減させて、水受けカップ部３０内の残水の発生を抑制することができる。
したがって、次回の手洗い器１０の手洗い排水口１０ｃから水受けカップ部３０への手洗い排水時においても、前回の手洗い排水による水受けカップ部３０内の残水が発生し難い状態であるため、水受けカップ部３０内の残水に着水することによる水撥ねや飛び散りを抑制することができる。
これらの結果、手洗い器１０から排出された洗浄水を水受けカップ部３０を介して貯水タンク１６内にスムーズに供給することができる。
【００３３】
つぎに、本実施形態による手洗い器付き洗浄水タンク装置１によれば、手洗い排水口１０ｃから水受けカップ部３０内に排出された手洗い排水は、突出部４０の頂部４０ｃに落下した場合には、着水後、突出面４０ａ，４０ｂに沿って流下し、二箇所の流出口３６，３８のそれぞれに向かって分流され、比較的流量が抑制される。
これにより、突出部４０の頂部４０ｃに着水後の水受け部内の洗浄水について、少なくとも二箇所の流出口のそれぞれにスムーズに導くことができ、水受けカップ部３０内の洗浄水同士の衝突による水撥ねや飛び散りを効果的に抑制することができる。
【００３４】
また、本実施形態による手洗い器付き洗浄水タンク装置１によれば、水受けカップ部３０内の洗浄水が、突出部４０の突出面４０ａ，４０ｂや傾斜部４２の傾斜面４２ａ，４２ｂを流下することにより水受けカップ部３０の各流出口３６，３８から勢いを増した状態で流出し、洗浄水同士の衝突や乱れを誘発させる流れになっていたとしても、水受けカップ部３０の各流出口３６，３８の下流側に設けられた各排水路形成部３２，３４の排水路４６，４８内の空間が過度な水勢を抑制する緩衝空間となる。
これにより、水受けカップ部３０の各流出口３６，３８から流出した各排水路４６，４８内の洗浄水について、乱れを抑制して貯水タンク１６内にスムーズに排出することができる。
【００３５】
さらに、本実施形態による手洗い器付き洗浄水タンク装置１によれば、水受けカップ部３０内の洗浄水のうち、水受けカップ部３０の後側壁部３０ｂ及び側壁部３０ｃ，３０ｄのそれぞれの壁面に沿って角部３０ｅ，３０ｆに向かって流れた洗浄水は、各角部３０ｅ，３０ｆの流出口３６，３８からスムーズに排出される。
したがって、水受けカップ部３０内の後側壁部３０ｂ及び側壁部３０ｃ，３０ｄのそれぞれの壁面に沿って各角部３０ｅ，３０ｆに向かって流れた洗浄水同士が各流出口３６，３８から排出される前に激しく衝突することを抑制することができ、水受けカップ部３０から外部への水撥ねや飛び散りを抑制することができる。
【００３６】
また、本実施形態による手洗い器付き洗浄水タンク装置１によれば、水受けカップ部３０内の突出部４０の各突出面４０ａ，４０ｂと傾斜部４２の各傾斜面４２ａ，４２ｂとが連結される各連結部４４ａ，４４ｂが洗浄水を各流出口３６，３８に向けてガイドするように形成されているため、手洗い排水口１０ｃから排出された手洗い排水が水受けカップ部３０内の突出部４０の突出面４０ａ，４０ｂに落下して着水した後に連結部４４ａ，４４ｂに流れ込んだ洗浄水について、各流出口３６，３８に向けてスムーズにガイドすることができる。
また、水受けカップ部３０内の突出部４０の各突出面４０ａ，４０ｂ落下することなく傾斜部４２の各傾斜面４２ａ，４２ｂや連結部４４ａ，４４ｂに直接的に落下した洗浄水についても、各流出口３６，３８に向けてスムーズにガイドすることができる。
【００３７】
さらに、本実施形態による手洗い器付き洗浄水タンク装置１によれば、水受けカップ部３０の各流出口３６，３８の下流側に設けられた各排水路形成部３２，３４が、水受けカップ部３０の各流出口３６，３８に接続される上端部から下方に延びる各排水路４６，４８を形成し、この排水路４６，４８の側壁面を形成する側壁部３２ｂ〜３２ｅ，３４ｂ〜３４ｅにより、各排水路４６，４８内の洗浄水の周囲への飛び出しを規制することができる。
したがって、各排水路形成部３２，３４の排水路４６，４８から貯水タンク１６内に向けて排出された洗浄水が貯水タンク１６の外部に飛び出すことを抑制し、手洗い器１０から排出された洗浄水を水受けカップ部３０を介して貯水タンク１６内にスムーズに供給することができる。
【００３８】
また、本実施形態による手洗い器付き洗浄水タンク装置１によれば、各排水路形成部３２，３４の排水路４６，４８の下端出口（排出口４６ａ，４８ａ）の全域が、貯水タンク１６内のオーバーフロー管２４ａの上端のオーバーフロー口２４ｃに対して上下方向に重ならないように、オーバーフロー口２４ｃの外縁よりも外側に位置している。
よって、各排水路４６，４８の下端出口（排出口４６ａ，４８ａ）から排出された洗浄水がオーバーフロー口２４ｃ内に直接的に流れ込むことによる無駄水の発生を抑制することできる。
したがって、各排水路４６，４８から排出された手洗い排水について、貯水タンク１６内のオーバーフロー口２４ｃ以外の領域に確実に導くことができるため、手洗い器１０から排出された洗浄水を水受けカップ部３０を介して貯水タンク１６内に確実に供給することができる。
【００３９】
さらに、本実施形態による手洗い器付き洗浄水タンク装置１によれば、各排水路形成部３２，３４の側壁部３２ｅ，３４ｄのガイドプレート５０，５２の長手方向の外縁部５０ａ，５２ａが、水受けカップ部３０の各流出口３６，３８の底部３６ａ，３８ａに接続される上端部５０ｂ，５２ｂから各排水路４６，４８の排出口４６ａ，４８ａの下端に位置する下端部５０ｃ，５２ｃに向かって斜め下方に延びるように形成されており、各ガイドプレート５０，５２の下端部５０ｃ，５２ｃがオーバーフロー口２４ｃよりも外側に位置している。
これにより、特に、水受けカップ部３０の各流出口３６，３８の底部３６ａ，３８ａから比較的低流量で流出した洗浄水について、各排水路形成部３２，３４の側壁部３２ｅ，３４ｄのガイドプレート５０，５２に沿って貯水タンク１６内のオーバーフロー口２４ｃよりも外側の領域に向けて確実に導いて、貯水することができる。
なお、各各排水路４６，４８から排出された手洗い排水が、給水弁装置２２のフロート（図示せず）等に着水した場合には、給水弁装置２２の給水動作や止水動作のタイミングに影響して正確な動作が損なわれるおそれがあるため、貯水タンク１６内のオーバーフロー口２４ｃよりも外側の領域については、ガイドプレート５０，５２に沿ってガイドされた手洗い排水が給水弁装置２２のフロート（図示せず）等に着水しないような領域に設定しておくことが好ましい。
【００４０】
また、本実施形態による手洗い器付き洗浄水タンク装置１によれば、左側排水路形成部３２の左側排水路４６において、後側壁部３２ｃの左端と左側壁部３２ｄの後端とが互いに接合される接合部の側壁面は、平面視で部分円弧状の曲面Ｒ１で形成されている。
同様に、図１１及び図１２に示すように、右側排水路形成部３４の右側排水路４８において、後側壁部３４ｃの右端と右側壁部３４ｅの後端とが互いに接合される接合部の壁面は、平面視で部分円弧状の曲面Ｒ２で形成されている。
これらにより、水受けカップ部３０の各流出口３６，３８から流出した洗浄水は、各流出口３６，３８の対角側に位置する後側壁部３４ｃの両端と側壁部３２ｄ，３４ｅとの接合部の曲面形状の壁面Ｒ１，Ｒ２に沿って寄せ集められた後、各排水路４６，４８の下流側に向かってまとまりのある流れを形成することができる。
したがって、排水部の排水路内における洗浄水の乱れた流れを抑制してスムーズな流れを形成することができる。
これにより、各排水路形成部３２，３４の排水路４６，４８から洗浄水が貯水タンク１６内に向けて排出される際に、外側へ水撥ねや飛び出しによる無駄水の発生を抑制し、手洗い器１０から排出された洗浄水を水受けカップ部３０を介して貯水タンク１６内にスムーズに供給することができる。
【００４１】
なお、上述した本実施形態の手洗い器付き洗浄水タンク装置１では、水受けユニット１４の水受けカップ部３０の各流出口３６，３８については、水受けカップ部３０の後方側の左右両端部（角部）のそれぞれ二箇所に設けた形態について説明したが、このような形態に限定されず、三箇所以上の複数の箇所に設けてもよい。
【符号の説明】
【００４２】
１      本発明の一実施形態による手洗い器付き洗浄装置
２      水洗大便器
４      便器本体
４ａ    導水路
６      便蓋
８      外装タンク
１０      手洗い器
１０ａ    手洗いボウル（手洗いボウル部）
１０ｂ    スパウト（手洗い吐水部）
１０ｃ    手洗い排水口
１２      内装タンクユニット
１４      水受けユニット（水受け部）
１６      貯水タンク（内装タンク）
１６ａ    排水口
１８      防露材
２０      上蓋
２２      給水弁装置
２２ａ    タンク側給水管
２２ｂ    手洗い側給水管
２４      排水弁装置
２４ａ    オーバーフロー管
２４ｂ    排水弁体
２４ｃ    オーバーフロー口
２６      電動操作ユニット
２８      水受けユニットのベース部
３０      水受けユニットの水受けカップ部（水受け部）
３０ａ    水受けカップ部の前側壁部
３０ｂ    水受けカップ部の後側壁部（立壁部、第１立壁部）
３０ｃ    水受けカップ部の左側壁部（立壁部、第２立壁部）
３０ｄ    水受けカップ部の右側壁部（立壁部、第２立壁部）
３０ｅ    水受けカップ部の角部（水受け部の角部）
３０ｆ    水受けカップ部の角部（水受け部の角部）
３２      水受けユニットの左側排水路形成部（排水部）
３２ａ    水受けユニットの左側排水路形成部の上側壁部
３２ｂ    水受けユニットの左側排水路形成部の前側壁部（排水路の側壁部）
３２ｃ    水受けユニットの左側排水路形成部の後側壁部（排水路の側壁部）
３２ｄ    水受けユニットの左側排水路形成部の左側壁部（排水路の側壁部）
３２ｅ    水受けユニットの左側排水路形成部の右側壁部（排水路の側壁部）
３４      水受けユニットの右側排水路形成部（排水部）
３４ａ    水受けユニットの右側排水路形成部の上側壁部
３４ｂ    水受けユニットの右側排水路形成部の前側壁部（排水路の側壁部）
３４ｃ    水受けユニットの右側排水路形成部の後側壁部（排水路の側壁部）
３４ｄ    水受けユニットの右側排水路形成部の左側壁部（排水路の側壁部）
３４ｅ    水受けユニットの右側排水路形成部の右側壁部（排水路の側壁部）
３６      水受けカップ部の左側流出口（水受け部の流出口）
３６ａ    水受けカップ部の左側流出口の底部（水受け部の流出口の底部）
３８      水受けカップ部の右側流出口（水受け部の流出口）
３８ａ    水受けカップ部の右側流出口の底部（水受け部の流出口の底部）
４０      水受けカップ部の突出部（水受け部の突出部）
４０ａ    水受けカップ部の突出部の左側突出面
（水受け部の突出部の突出面、水受け面）
４０ｂ    水受けカップ部の突出部の右側突出面
（水受け部の突出部の突出面、水受け面）
４０ｃ    水受けカップ部の突出部の頂部（水受け部の突出部の頂部）
４２      水受けカップ部の傾斜部（水受け部の傾斜部）
４２ａ    水受けカップ部の傾斜部の左側傾斜面
（水受け部の傾斜部の傾斜面、水受け面）
４２ｂ    水受けカップ部の傾斜部の右側傾斜面
（水受け部の傾斜部の傾斜面、水受け面）
４４      水受けカップ部の突出部と傾斜部との連結部
（水受け部の突出部の突出面と傾斜部の傾斜面とが連結される連結部）
４４ａ    水受けカップ部の突出部と傾斜部との左側連結部
４４ｂ    水受けカップ部の突出部と傾斜部との右側連結部
４６      左側排水路（排水部の排水路）
４６ａ    左側排水路の排出口（排水部の排水路）
４８      右側排水路（排水部の排水路）
４８ａ    右側排水路の排出口（排水部の排水路）
５０      ガイドプレート（排水部の側壁部のガイド部）
５０ａ    ガイドプレートの長手方向の外縁部
５０ｂ    ガイドプレートの長手方向の外縁部の上端部
５０ｃ    ガイドプレートの長手方向の外縁部の下端部
５２      ガイドプレート（排水部の側壁部のガイド部）
５２ａ    ガイドプレートの長手方向の外縁部
５２ｂ    ガイドプレートの長手方向の外縁部の上端部
５２ｃ    ガイドプレートの長手方向の外縁部の下端部
Ｃ      操作装置
Ｒ１    曲面
Ｒ２    曲面
Ｓ      人感センサー
【図１】
2020128653.tif 000003
【図２】
2020128653.tif 000004
【図３】
2020128653.tif 000005
【図４】
2020128653.tif 000006
【図５】
2020128653.tif 000007
【図６】
2020128653.tif 000008
【図７】
2020128653.tif 000009
【図８】
2020128653.tif 000010
【図９】
2020128653.tif 000011
【図１０】
2020128653.tif 000012
【図１１】
2020128653.tif 000013
【図１２】
2020128653.tif 000014